(57)【要約】【課題】  本発明は車両等の走行が可能で、かつ地震が生じても、スムーズに先端部を左右方向にスライド移動させて、その揺れ動き吸収して、損傷することなく、長期間安全に使用することができる床用目地装置を得るにある。【解決手段】  目地部を介して設けられた左右の床躯体の、一方の床躯体の目地部側に保持手段を介して保持状態で後端部が取付けられ、先端部が前記左右の床躯体の、他方の床躯体の目地部側上に左右方向にスライド移動支持された目地プレートを備える床用目地装置において、前記他方の床躯体の目地部側上面あるいは該部位と対応する部位の、前記目地プレートの底面に固定された上面あるいは下面に突出するように所定間隔で多数個形成されたＣ字状の軸受が形成された軸受板、この軸受板の多数個のＣ字状の軸受に、それぞれ該Ｃ字状の軸受の上面あるいは下面より一部が突出して回転するように取付けられた丸棒状の軸とからなる目地プレートスライド移動体を設けて床用目地装置を構成している。【選択図】  図２
2011069095.tif 000002
【特許請求の範囲】
【請求項１】
目地部を介して設けられた左右の床躯体の、一方の床躯体の目地部側に保持手段を介して保持状態で後端部が取付けられ、先端部が前記左右の床躯体の、他方の床躯体の目地部側上に左右方向にスライド移動支持された目地プレートを備える床用目地装置において、前記他方の床躯体の目地部側上面、あるいは該部位と対応する部位の前記目地プレートの底面に固定された、上面あるいは下面に突出するように所定間隔で多数個形成されたＣ字状の軸受が形成された軸受板、この軸受板の多数個のＣ字状の軸受に、それぞれ該Ｃ字状の軸受の上面あるいは下面より一部が突出して回転するように取付けられた丸棒状の軸とからなる目地プレートスライド移動体を設けたことを特徴とする床用目地装置。
【請求項２】
目地プレートスライド移動体の軸受板の左右方向の寸法は、目地部の左右方向の寸法よりも大きく設定されていることを特徴とする請求項１記載の床用目地装置。
【発明の詳細な説明】
【技術分野】
【０００１】
本発明は目地部を介して設けられた左右の床躯体間を、車両の走行を可能に覆う床用目地装置に関する。
【背景技術】
【０００２】
従来、この種の床用目地装置は左右の床躯体の、一方の床躯体の目地部側に後端部を保持し、先端部を左右の床躯体の、他方の床躯体の目地部側上面に左右方向にスライド移動可能に支持させた床用目地プレートを用いている。
【０００３】
このように構成された床用目地装置の床用目地プレート上は車両等が走行するため、強固で重量のあるものを用いているため、地震時に床用目地プレートの先端部を左右方向へスライド移動できるように構成されているが、十分に左右方向にスライド移動することができず、床用目地プレートの後端部の保持部を損傷させたりするという欠点があった。
【先行技術文献】
【特許文献】
【０００４】
【特許文献１】特開２００７−１３２１５７
【発明の概要】
【発明が解決しようとする課題】
【０００５】
本発明は以上のような従来の欠点に鑑み、車両等の走行が可能で、かつ地震が生じても、スムーズに先端部を左右方向にスライド移動させて、その揺れ動き吸収して、損傷することなく、長期間安全に使用することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の、一方の床躯体の目地部側に保持手段を介して保持状態で後端部が取付けられ、先端部が前記左右の床躯体の、他方の床躯体の目地部側上に左右方向にスライド移動支持された目地プレートを備える床用目地装置において、前記他方の床躯体の目地部側上面あるいは該部位と対応する部位の、前記目地プレートの底面に固定された上面あるいは下面に突出するように所定間隔で多数個形成されたＣ字状の軸受が形成された軸受板、この軸受板の多数個のＣ字状の軸受に、それぞれ該Ｃ字状の軸受の上面あるいは下面より一部が突出して回転するように取付けられた丸棒状の軸とからなる目地プレートスライド移動体を設けて床用目地装置を構成している。
【発明の効果】
【０００９】
以上の説明から明らかなように、本発明にあっては次に列挙する効果が得られる。
（１）目地部を介して設けられた左右の床躯体の、一方の床躯体の目地部側に保持手段を介して保持状態で後端部が取付けられ、先端部が前記左右の床躯体の、他方の床躯体の目地部側上に左右方向にスライド移動支持された目地プレートを備える床用目地装置において、前記他方の床躯体の目地部側上面あるいは該部位と対応する部位の、前記目地プレートの底面に固定された上面あるいは下面に突出するように所定間隔で多数個形成されたＣ字状の軸受が形成された軸受板、この軸受板の多数個のＣ字状の軸受に、それぞれ該Ｃ字状の軸受の上面あるいは下面より一部が突出して回転するように取付けられた丸棒状の軸によって、目地プレート上を車両による何百キロ、何トンとなる荷重を受けても安全なものにできるとともに、目地プレートをスライド移動可能に支持する支持部分に目地プレートスライド移動体の多数個の丸棒によってスライド移動抵抗を小さくして、スムーズに左右方向に移動させることができる。
したがって、損傷することなくスムーズにスライド移動させて、地震の揺れ動きを吸収して、安全に使用することができる。
（２）前記（１）によって、目地プレートをスライド移動可能に支持する支持部分に目地プレートスライド移動体を設けるだけでよいので、構造が簡単で、設置作業を容易に行なうことができる。
（３）前記（１）により、所定間隔で多数個突出するように形成されたＣ字状の軸受けが形成された軸受板と、この軸受板の多数個のＣ字状の軸受に、それぞれ該Ｃ字状の軸受より一部が突出して回転する丸棒を用いた目地プレートスライド移動体を用いているので、構造が簡単で、大きな荷重が加わっても損傷することなく、安価に製造することができる。
（４）請求項２も前記（１）〜（３）と同様な効果が得られるとともに、目地部の左右方向の寸法分の揺れ動きをスムーズに吸収することができる。
【図面の簡単な説明】
【００１０】
【図１】本発明を実施するための第１の形態の平面図。
【図２】図１の２−２線に沿う断面図。
【図３】目地プレートスライド移動体の平面図。
【図４】目地プレートスライド移動体の側面図。
【図５】目地プレートスライド移動体の正面図。
【図６】地震により目地部が狭くなる動作説明図。
【図７】地震により目地部が広くなる動作説明図。
【図８】本発明を実施するための第２の形態の平面図。
【図９】図８の９−９線に沿う断面図。
【図１０】目地プレートの説明図。
【図１１】本発明を実施するための第３の形態の平面図。
【図１２】図１１の１２−１２線に沿う断面図。
【図１３】目地プレートの説明図。
【図１４】本発明を実施するための第４の形態の平面図。
【図１５】図１４の１５−１５線に沿う断面図。
【図１６】目地プレートを外した状態の説明図。
【図１７】本発明を実施するための第５の形態の平面図。
【図１８】図１７の１８−１８線に沿う断面図。
【図１９】一部破断平面図。
【発明を実施するための形態】
【００１１】
以下、図面に示す本発明を実施するための形態により、本発明を詳細に説明する。
【００１２】
図１ないし図７に示す本発明を実施するための第１の形態において、１は車両等の走行が可能な本発明の床用目地装置で、この床用目地装置１は目地部２を介して設けられた左右の床躯体３、３の、一方の床躯体３の目地部側に形成された目地プレート支持凹部４と、この目地プレート支持凹部４に保持手段５としての複数本の係止ピン６で後端部が保持状態に取付けられ、傾斜面７に形成された先端部が前記左右の床躯体３、３の、他方の床躯体３の目地部側上面にスライド移動可能に支持された、前記目地部２の左右方向の寸法の２倍以上で、かつ車両が走行しても損傷することのない金属材製の目地プレート８と、この目地プレート８の前記他方の床躯体３の目地部側上面とスライド移動可能に支持される部位の他方の床躯体３に多数本のタッピングビス１３で固定された目地プレートスライド移動体９とで構成されている。
【００１３】
前記目地プレートスライド移動体９は図３ないし図５に示すように、前記目地プレート８の他方の床躯体３に位置する部位の底面と同じ大きさのアルミ、アルミ合金、ステンレス材等の金属材製の板状の軸受板１０と、この軸受板１０の上面に突出するように左右方向に所定間隔で多数個形成されたＣ字状の軸受１１と、この多数個のＣ字状の軸受１１に、それぞれ該Ｃ字状の軸受１１の上面より一部が突出して回転するように取付けられた金属材製の丸棒１２と、前記軸受１１間に形成された多数本のタッピングビス挿入孔１３ａとで構成されている。
【００１４】
上記構成の床用目地装置１は平常時には図１および図２に示すように、左右の床躯体３、３間の目地部２を目地プレート８で覆っており、該目地プレート８上を従来と同様に安全に走行することができる。
【００１５】
地震により目地部２が狭くなるように揺れ動くと、図６に示すように目地プレート８の後端部は保持手段５としての複数本の係止ピン６によって、一方の床躯体３の目地プレート支持凹部４に保持されているため、目地プレート８の先端部だけが他方の床躯体３上を反目地部方向にスライド移動する。
【００１６】
このスライド移動時には他方の床躯体３上に固定された目地プレートスライド移動体９の多数個の丸棒１２上をスライド移動するため、スムーズに目地プレートスライド移動体９が損傷することなくスライド移動させることができる。
【００１７】
地震によって目地部２が広くなるように揺れ動くと、図７に示すように目地プレート８の先端部が目地プレートスライド移動体９上を移動して、その揺れ動きを吸収する。
【００１８】
なお、この場合、目地プレートスライド移動体９の反目地部側の上面が目地プレート８の先端部より外れて表面に出るが、車両の走行は可能で、出たとしても短時間であるため、問題が生じることはない。
【００１９】
[発明を実施するための異なる形態]
次に、図８ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図８ないし図１０に示す本発明を実施するための第２の形態において、前記本発明を実施するための第１の形態と主に異なる点は、両端部に傾斜面７、７を形成した目地プレート８Ａを用いるとともに、他方の床躯体３の目地部側の床躯体３に目地プレートスライド移動体９の上面がわずかに上方へ突出して設置することができる目地プレートスライド移動体収納凹部１４を形成した点で、このように構成した床用目地装置１Ａにしても、前記本発明を実施するための第１の形態と同様な作用効果が得られる。
【００２１】
図１１ないし図１３に示す本発明を実施するための第３の形態において、前記本発明を実施するための第１の形態と主に異なる点は、他方の床躯体３と対応する部位の目地プレート８の先端部位に目地プレートスライド移動体９を複数本のタッピングビス１３で固定した点で、このように構成した床用目地装置１Ｂにしても、前記本発明を実施するための第１の形態と同様な作用効果が得られる。
【００２２】
図１４ないし図１６に示す本発明を実施するための第４の形態において、前記本発明を実施するための第１の形態と主に異なる点は、他方の床躯体３の目地部側に反目地部側が傾斜面１５に形成された目地プレートスライド支持凹部１６を形成し、該目地プレートスライド支持凹部１６に目地プレートスライド移動体９Ａを固定した点で、このように構成した床用目地装置１Ｃにしても、前記本発明を実施するための第１の形態と同様な作用効果が得られる。
【００２３】
図１７ないし図１９に示す本発明を実施するための第５の形態において、前記本発明を実施するための第１の形態と主に異なる点は、他方の床躯体３の目地部側に目地部２の左右方向の寸法の２倍以上の目地プレートスライド支持凹部１６Ａを形成し、該目地プレートスライド支持凹部１６Ａの底面全体を覆うように目地プレートスライド移動体９Ｂを固定し、前記目地プレートスライド支持凹部１６Ａ上を目地プレート８が左右方向にスライド移動可能に覆う目地カバー１７を他方の床躯体３にタッピングビス１８等で固定した点で、このように構成した床用目地装置１Ｄにしても、前記本発明を実施するための第１の形態と同様な作用効果が得られる。
【産業上の利用可能性】
【００２４】
本発明は車両の走行が可能な床用目地装置を製造する産業で利用される。
【符号の説明】
【００２５】
１、１Ａ、１Ｂ、１Ｃ、１Ｄ：床用目地装置、
２：目地部、                ３：床躯体、
４：目地プレート支持凹部、  ５：保持手段、  
６：係止ピン、              ７：傾斜面、
８、８Ａ：目地プレート、
９、９Ａ、９Ｂ：目地プレートスライド移動体、
１０：軸受板、            １１：Ｃ字状の軸受、
１２：丸棒、              １３：タッピングビス、
１４：目地プレートスライド移動体収納凹部、
１５：傾斜面、
１６、１６Ａ：目地プレートスライド支持凹部、
１７：目地カバー、        １８：タッピングビス。
【図１】
2011069095.tif 000003
【図２】
2011069095.tif 000004
【図３】
2011069095.tif 000005
【図４】
2011069095.tif 000006
【図５】
2011069095.tif 000007
【図６】
2011069095.tif 000008
【図７】
2011069095.tif 000009
【図８】
2011069095.tif 000010
【図９】
2011069095.tif 000011
【図１０】
2011069095.tif 000012
【図１１】
2011069095.tif 000013
【図１２】
2011069095.tif 000014
【図１３】
2011069095.tif 000015
【図１４】
2011069095.tif 000016
【図１５】
2011069095.tif 000017
【図１６】
2011069095.tif 000018
【図１７】
2011069095.tif 000019
【図１８】
2011069095.tif 000020
【図１９】
2011069095.tif 000021